(57)【特許請求の範囲】
【請求項１】
第１中継部、この第１中継部から一方に連設された第１ハンドル部および該第１中継部から他方に連設された略Ｌ字状の第１の腕部を有する第１作動体と、第２中継部、この第２中継部から一方に連設された第２ハンドル部および該第２中継部から他方に連設された略Ｌ字状の第２の腕部を有する第２作動体とが、該第１および第２の腕部のＬ字状の先端部を相対させて、該第１および第２中継部を開閉ピン周りに回動自在に連結され、該第１および第２ハンドル部の開閉操作により、該第１および第２の腕部の先端部同士が係合する閉状態と、該先端部同士が離間する開状態とをとるように構成されたケーブル固縛装置において、
紐を引っ掛けるフック部が上記第２の腕部の先端部に切り欠きを外方に開口するように形成して成形され、
紐外し環が上記切り欠きの開口部を全閉する初期位置と該切り欠きの開口部を全開する最終位置との間を往復移動可能に上記第２の腕部の先端部に装着され、
戻しバネが上記紐外し環を上記最終位置から上記初期位置に戻すように上記第２の腕部の先端部に縮設され、
上記第１および第２の腕部の先端部の閉動作時に上記紐外し環に係合して該紐外し環を上記初期位置から上記最終位置に移動させる紐通し金具が、締着部および該締着部からＬ字状に延設された係合部を有し、該係合部のＬ字状の基辺を内方に位置させ、Ｌ字状の表辺を一側に位置させて該締着部を上記第１の腕部の先端部に固着して取り付けられ、かつ、
紐通し穴が、上記紐外し環が上記最終位置に位置したときに上記切り欠きと相対する位置をとるように、上記紐通し金具の上記係合部の上記表辺に穿設されていることを特徴とするケーブル固縛装置。
【請求項２】
上記第１および第２ハンドル部が、上記第１および第２の腕部の先端部の開閉動作面に対して略直交する方向に曲げられていることを特徴とする請求項１記載のケーブル固縛装置。
【発明の詳細な説明】
【技術分野】
【０００１】
この発明は、工場や各種プラントにおいて、布設された電力ケーブルや制御ケーブル等をケーブルラックに固縛する際に適用されるケーブル固縛装置に関するものである。
【背景技術】
【０００２】
一般に、機器には電力ケーブルや制御ケーブル等のケーブルが配線されており、例えばプラント建設においては、ケーブルの配線長さが数ｋｍ、本数が数百本にも及ぶことがある。そして、多数のケーブルが、建家内の床上に布設されると、人や車等の移動の障害となってしまう。
そこで、建家の天井や側壁を利用して、ケーブルラックをケーブルの布設経路に沿って空中に架設し、ケーブルをケーブルラック内に収納している。そして、ケーブルラック内に収納されたケーブルは、整線され、１本ずつ、あるいは複数本にまとめられて、ケーブルラックの子桁に固縛される。
【０００３】
図２２は従来のケーブル固縛方法を説明する断面図、図２３は従来のケーブル固縛状態を説明する斜視図である。
ケーブルラック１は、一対の親桁１ａを互いに平行に配置し、子桁１ｂにより一対の親桁１ａの底部間を所定間隔毎に連結して構成されている。そして、一対の吊りボルト（図示せず）がケーブル２の布設経路に沿って所定間隔毎に天井から吊り下げられ、Ｌ型アングル（図示せず）が各対の吊りボルトの下端に装着されている。このように空中に所定間隔毎に吊設されたＬ型アングル上にケーブルラック１が連ねて載せられ、隣接するケーブルラック１の端部同士が継ぎ金具およびボルト（図示せず）により連結され、さらにケーブルラック１の親桁１ａが振れ止め金具（図示せず）によりＬ型アングルに固着されて、ケーブル２の布設経路に沿ってケーブルラック１が設置されている。
【０００４】
延線されたケーブル２は、ケーブルラック１内に収納され、整線される。そして、作業者が脚立等にのぼり、図２２に示されるように、紐３でケーブル２を１本ずつ子桁１ｂに固縛する。この時、作業者は、紐３の端を子桁１ｂに締結し、１本目のケーブル２の上方を跨いで、１本目と２本目のケーブル２間を通し、子桁１ｂの一方の側面側を通して子桁１ｂの下方まで持ってゆき、その後子桁１ｂの他方の側面側から１本目と２本目のケーブル２間を通してケーブル２の上方まで持ってゆく。ついで、２本目のケーブル２の上方を跨いで、２本目と３本目のケーブル２間を通し、子桁１ｂの一方の側面側を通して子桁１ｂの下方まで持ってゆき、その後子桁１ｂの他方の側面側から２本目と３本目のケーブル２間を通してケーブル２の上方まで持ってゆく。この操作を繰り返し行い、最後のケーブル２の外側で子桁１ｂに紐３を締結し、１箇所のケーブル２の固縛作業が終了する。
【０００５】
そして、作業者は、所定距離離れた位置に移動し、ケーブル２の固縛作業を行うことになる。これにより、ケーブルラック１内に収納されたケーブル２は、布設経路方向に所定間隔毎に子桁１ｂに固縛される。そして、各固縛箇所では、図２３に示されるように、ケーブル２は１本ずつケーブルラック１の子桁１ｂに紐３で固縛されている。
【発明の開示】
【発明が解決しようとする課題】
【０００６】
従来、空中に架設されたケーブルラック１内に収納されたケーブル２を手作業にて紐３で子桁１ｂに固縛しているので、紐２をケーブル２と子桁１ｂとに掛け渡す手作業が極めて煩雑で、かつ、高所での作業となり、作業者の作業負荷が大きなものとなってしまう。
また、ケーブルラック１を多段に架設している場合には、上下のケーブルラック１間の狭いスペースでの固縛作業となり、作業者の作業負荷がさらに大きなものとなってしまう。
【０００７】
この発明は、上記のような課題を解決するためになされたもので、紐をケーブルと子桁とに掛け渡す作業を簡略化し、作業者の作業負荷を軽減できるケーブル固縛装置を得ることを目的とする。
【課題を解決するための手段】
【０００８】
この発明に係るケーブル固縛装置は、第１中継部、この第１中継部から一方に連設された第１ハンドル部および該第１中継部から他方に連設された略Ｌ字状の第１の腕部を有する第１作動体と、第２中継部、この第２中継部から一方に連設された第２ハンドル部および該第２中継部から他方に連設された略Ｌ字状の第２の腕部を有する第２作動体とが、該第１および第２の腕部のＬ字状の先端部を相対させて、該第１および第２中継部を開閉ピン周りに回動自在に連結され、該第１および第２ハンドル部の開閉操作により、該第１および第２の腕部の先端部同士が係合する閉状態と、該先端部同士が離間する開状態とをとるように構成されたケーブル固縛装置において、
紐を引っ掛けるフック部が上記第２の腕部の先端部に切り欠きを外方に開口するように形成して成形され、
紐外し環が上記切り欠きの開口部を全閉する初期位置と該切り欠きの開口部を全開する最終位置との間を往復移動可能に上記第２の腕部の先端部に装着され、
戻しバネが上記紐外し環を上記最終位置から上記初期位置に戻すように上記第２の腕部の先端部に縮設され、
上記第１および第２の腕部の先端部の閉動作時に上記紐外し環に係合して該紐外し環を上記初期位置から上記最終位置に移動させる紐通し金具が、締着部および該締着部からＬ字状に延設された係合部を有し、該係合部のＬ字状の基辺を内方に位置させ、Ｌ字状の表辺を一側に位置させて該締着部を上記第１の腕部の先端部に固着して取り付けられ、かつ、
紐通し穴が、上記紐外し環が上記最終位置に位置したときに上記切り欠きと相対する位置をとるように、上記紐通し金具の上記係合部の上記表辺に穿設されているものである。
【発明の効果】
【０００９】
この発明によれば、紐をケーブルと子桁とに掛け渡す作業を簡略化し、作業者の作業負荷を軽減できるケーブル固縛装置が得られる。
【発明を実施するための最良の形態】
【００１０】
以下、この発明の実施の形態を図について説明する。
実施の形態１．
図１はこの発明の実施の形態１に係るケーブル固縛装置を示す正面図、図２はこの発明の実施の形態１に係るケーブル固縛装置の第１の腕の先端部を示す分解図、図３はこの発明の実施の形態１に係るケーブル固縛装置の第１の腕の紐通し金具を示す斜視図、図４はこの発明の実施の形態１に係るケーブル固縛装置の第２の腕の先端部を示す分解図、図５はこの発明の実施の形態１に係るケーブル固縛装置の第１および第２の腕の閉状態を説明する図であり、図５の（ａ）はその一部破断正面図、図５の（ｂ）は正面図である。図６はこの発明の実施の形態１に係るケーブル固縛装置の第１および第２の腕の開状態を説明する一部破断正面図、図７はこの発明の実施の形態１に係るケーブル固縛装置の動作を説明する工程図である。
【００１１】
図１乃至図６において、第１作動体８１は、第１ハンドル部８２と、この第１ハンドル部８２から延設された第１中継部８３と、この第１中継部８３から略Ｌ字状に延設された第１の腕部８４とを備えている。そして、開閉ピン穴８３ａが第１中継部８３の略中央部に穿設されている。また、カシメ穴８４ａが第１の腕部８４の先端部に穿設されている。
紐通し金具８５は、コ字状の締着部８５ａと、締着部８５ａからＬ字状に延設された係合部８５ｂとからなり、カシメ穴８５ｃが締着部８５ａの表裏辺に穿設され、紐通し穴８５ｄが係合部８５ｂの表辺に穿設されている。そして、紐通し金具８５は、締着部８５ａを第１の腕部８４の先端部に装着し、カシメ穴８４ａ、８５ｃに通したカシメピン８６をカシメて、第１の腕部８４に締着されている。
【００１２】
第２作動体８７は、第２ハンドル部８８と、この第２ハンドル部８８から延設された第２中継部８９と、この第２中継部８９から略Ｌ字状に延設された第２の腕部９０とを備えている。そして、開閉ピン穴８９ａが第２中継部８９の略中央部に穿設されている。
第２の腕部９０の先端部は、裏面が表面側に漸次接近する先細り形状をなし、その先端面の下端側がアール形状をなしている。また、ピン案内穴９０ａが、穴の長手方向を第２の腕部９０の先端部の長さ方向に一致させて、第２の腕部９０の先端部の根元側に形成されている。そして、また、下端側に開口する切り欠き９０ｂが第２の腕部９０の先端部の先端側に形成され、フック９０ｃを形成している。紐外し環９１は、第２の腕部９０の先端部を内包可能な長方形断面を有し、摺動ピン穴９１ａが表裏辺を貫通するように形成されている。そして、戻しバネ９２が第２の腕部９０の先端部に装着され、紐外し環９１が第２の腕部９０の先端部に装着され、摺動ピン穴９１ａとピン案内穴９０ａとに挿通された摺動ピン９３の両端がカシメられている。これにより、紐外し環９１は、摺動ピン９１がピン案内穴９０ａに案内されて、切り欠き９０ｂの開口部を塞ぐ初期位置と、切り欠き９０ｂの開口部を全開する最終位置との間を往復移動可能に、第２の腕部９０の先端部に装着されている。そして、戻しバネ９２が紐外し環９１を初期位置に戻すように縮設されている。
【００１３】
そして、第１および第２作動体８１、８７が、開閉ピン穴８３ａ、８９ａに挿通された開閉ピン９４により第１および第２中継部８３、８９を枢着されて、第１および第２の腕部８４、９０を開閉可能に構成されている。
【００１４】
このように構成されたケーブル固縛装置８０では、第１および第２作動体８１，８７が第１および第２の腕部８４，９０のＬ字状の先端を相対するように連結され、第１および第２の腕部８４、９０により子桁１ｂを収納するスペースを形成している。
そして、ケーブル固縛装置８０の閉状態では、図５に示されるように、第１および第２の腕部８４、９０が閉じられ、紐通し金具８５の係合部８５ｂの端面が戻しバネ９２の付勢力に抗して摺動ピン９３を押圧し、紐外し環９１が切り欠き９０ｂの開口を全開する最終位置に位置している。この時、紐通し穴８５ｄは、切り欠き９０ｂ内に位置している。
また、ケーブル固縛装置８０の開状態では、図６に示されるように、第１および第２の腕部８４、９０が開かれ、戻しバネ９１の付勢力により、紐外し環９１が切り欠き９０ｂの開口を全閉する初期位置に位置している。
【００１５】
つぎに、このケーブル固縛装置８０による紐３の引っ掛け動作について図７を参照しつつ説明する。
まず、図７の（ａ）に示されるように、第１および第２の腕部８４、９０が開状態にあり、紐３が紐通し金具８５の表側から紐通し穴８５ｄに通され、輪状の紐３がフック９０ｃに引っ掛けられている。
そして、第１および第２ハンドル部８２、８８を持って第１および第２の腕部８４、９０を閉じる。これにより、紐通し金具８５の係合部８５ｂが紐外し環９１を覆うように係合する。
【００１６】
そして、紐通し金具８５の係合部８５ｂの先端が摺動ピン９３に当接すると、図７の（ｂ）に示されるように、輪状の紐３は紐通し金具８５に押圧されて、図７の（ｂ）中左方向に付勢される。この時、切り欠き９０ｂの開口が全閉されているので、輪状の紐３は切り欠き９０ｂ内に位置している。また、紐通し金具８５の表側から紐通し穴８５ｄに通された紐３は、第２の腕部９０の先端形状によりフック９０ｃの下部を通り、第２の腕部９０の先端部の裏面側から上方に延びている。
【００１７】
そして、紐通し金具８５の係合部８５ｂの先端が摺動ピン９３を押圧し始めると、紐外し環９１が図７の（ｃ）中左側に移動し、切り欠き９０ｂの開口が徐々に開かれる。この時、切り欠き９０ｂの開口が全開されていないので、輪状の紐３はなお切り欠き９０ｂ内に位置している。また、紐通し穴８５ｄは切り欠き９０ｂ内に臨む位置まで到達していないので、紐通し穴８５ｄに通された紐３はフック９０ｃの下部を通り、第２の腕部９０の先端部の裏面側から上方に延びている。
【００１８】
そして、紐外し環９１が最終位置まで移動すると、図７の（ｄ）に示されるように、切り欠き９０ｂの開口が全開される。この時、紐通し金具８５に押圧されていた輪状の紐３は切り欠き９０ｂから飛び出し、紐外し環９１上に乗り上げる。また、紐通し穴８５ｄが切り欠き９０ｂ内に臨む位置に到達しており、紐通し穴８５ｄに通された紐３は切り欠き９０ｂ内に通り、第２の腕部９０の先端部の裏面側から上方に延びている。
【００１９】
ついで、第１および第２ハンドル部８２、８８を持って第１および第２の腕部８４、９０を開く。これにより、紐通し金具８５の係合部８５ｂが紐外し環９１から引き抜かれるように後退する。そこで、図７の（ｅ）に示されるように、紐通し穴８５ｄに通された紐３がフック９０ｃに引っ掛けられ、紐通し金具８５の後退とともに切り欠き９０ｂの底部側に進行する。また、紐外し環９１は戻しバネ９２の付勢力により切り欠き９０ｂの開口を塞ぐように移動する。この時、輪状の紐３は紐外し環９１に乗り上がっており、切り欠き９０ｂ内に入ることが阻止される。
【００２０】
そして、第１および第２の腕部８４、９０が大きく開かれると、図７の（ｆ）に示されるように、紐通し穴８５ｄに通された紐３は切り欠き９０ｂ内に通り、第２の腕部９０の先端部の裏面側から上方に延びている。そして、輪状の紐３は、紐外し環９１からフック９０ｃの外周面に乗り移り、さらに切り欠き９０ｂに通された紐３を跨ぐように引っ掛かる。
【００２１】
ここで、上記説明では、第１および第２の腕部８４、９０の開状態から閉動作に移行する時点で、輪状の紐３が既に第２の腕部９０のフック９０ｃに引っ掛かっている場合について説明しているが、第１および第２の腕部８４、９０の開状態から閉動作に移行する時点で、輪状の紐３が第２の腕部９０の切り欠き９０ｂに引っ掛かっていない場合では、図７の（ａ）〜（ｆ）の手順を行うことにより、紐通し穴８５ｄに通された紐３が、単にフック９０ｃに引っ掛かることになる。
【００２２】
つぎに、このケーブル固縛装置８０を用いたケーブル２の固縛方法について図８乃至図２１を参照しつつ説明する。ここで、図８はこの発明の実施の形態１に係るケーブル固縛装置を用いた１本目のケーブルを固縛する工程を説明する図であり、図８の（ａ）はその正面図、図８の（ｂ）はその側面図である。図９はこの発明の実施の形態１に係るケーブル固縛装置を用いた１本目のケーブルを固縛する工程を説明する図であり、図９の（ａ）はその正面図、図９の（ｂ）はその側面図である。図１０はこの発明の実施の形態１に係るケーブル固縛装置を用いた１本目のケーブルを固縛する工程を説明する図であり、図１０の（ａ）はその正面図、図１０の（ｂ）はその側面図である。図１１はこの発明の実施の形態１に係るケーブル固縛装置を用いた１本目のケーブルを固縛する工程を説明する正面図、図１２はこの発明の実施の形態１に係るケーブル固縛装置を用いた１本目のケーブルを固縛する工程を説明する図であり、図１２の（ａ）はその正面図、図１２の（ｂ）はその側面図である。図１３はこの発明の実施の形態１に係るケーブル固縛装置を用いた２本目のケーブルを固縛する工程を説明する図であり、図１３の（ａ）はその正面図、図１３の（ｂ）はその側面図である。図１４はこの発明の実施の形態１に係るケーブル固縛装置を用いた２本目のケーブルを固縛する工程を説明する図であり、図１４の（ａ）はその正面図、図１４の（ｂ）はその側面図である。図１５はこの発明の実施の形態１に係るケーブル固縛装置を用いた２本目のケーブルを固縛する工程を説明する正面図、図１６はこの発明の実施の形態１に係るケーブル固縛装置を用いた２本目のケーブルを固縛する工程を説明する正面図、図１７はこの発明の実施の形態１に係るケーブル固縛装置を用いた２本目のケーブルを固縛する工程を説明する正面図、図１８はこの発明の実施の形態１に係るケーブル固縛装置を用いた２本目のケーブルを固縛する工程を説明する図であり、図１８の（ａ）はその正面図、図１８の（ｂ）はその側面図である。図１９はこの発明の実施の形態１に係るケーブル固縛装置を用いた３本目のケーブルを固縛する工程を説明する図であり、図１９の（ａ）はその正面図、図１９の（ｂ）はその側面図である。図２０および図２１はそれぞれこの発明の実施の形態１に係るケーブル固縛装置を用いたケーブル固縛方法を説明する上面図および側面図である。
【００２３】
まず、紐３が巻回されたボビン９５をケーブルラック１の他端側外方に設置する。
ついで、ボビン９５から繰り出された紐３の先端を第１の腕部８４の表側（ボビン９５側）から紐通し穴８５ｄに通す。そして、紐通し穴８５ｄから裏面側に引き出された紐３が子桁１ｂに結び付けられる（締着される）。ついで、図８に示されるように、ケーブル固縛装置８０の第１及び第２の腕部８４、９０を開いて１本目と２本目のケーブル２の間の上部に位置させる。その後、図９に示されるように、第１および第２の腕部８４、９０内に子桁１ｂを納めるようにケーブル固縛装置８０を下げる。そこで、図１０乃至図１２に示されるように、第１および第２の腕部８４、９０を一旦閉じた後開き、その後ケーブル固縛装置１００を引き上げる。これにより、子桁１ｂに結びつけられた紐３は、１本目のケーブル２を乗り越え、子桁１ｂの一側から子桁１ｂの下側を通って子桁１ｂの他側に至り、第２の腕部９０の切り欠き９０ｂ内を通って子桁１ｂの一側に折り返され、第１の腕部８４の紐通し穴８５ｄを通って、ケーブルラック１の他側に延びるようになっている。紐３がこのように巻かれて、１本目のケーブル２が子桁１ｂに固縛されている。
【００２４】
ついで、２本目のケーブル２を１本目のケーブル２側に引き寄せ、図１３に示されるように、ケーブル固縛装置８０を２本目と３本目のケーブル２の上部に位置させる。そして、図１４に示されるように、ケーブル固縛装置８０を２本目と３本目のケーブル２の隙間から下げ、第１および第２の腕部８４、９０内に子桁１ｂを納める。そこで、図１５および図１６に示されるように、第１および第２の腕部８４、９０を一旦閉じた後開く。これにより、図７で説明したように、第２の腕部９０のフック９０ｃに掛けられていた輪状の紐３が切り欠け９０ｂから外され、代わりに第１の腕部８４の紐通し穴８５ｄを通された紐３がフック９０ｃに掛けられる。
【００２５】
そして、ケーブル固縛装置８０を引き上げる。これにより、図１７および図１８に示されるように、切り欠け９０ｂから外された輪状の紐３が、第２の腕部９０の先端部から新たにフック９０ｃに掛けられた輪状の紐３に乗り移る。
この状態では、図１８に示されるように、子桁１ｂに結び付けられた紐３は、１本目のケーブル２を乗り越えて１本目と２本目のケーブル２の間から子桁１ｂの一側側面に沿って下方に至り、子桁１ｂの下面に沿って他側に至り、子桁１ｂの他側側面に沿って上方に至り、２本目のケーブル２を乗り越えて２本目と３本目のケーブル２の間で折り返される。そして、２本目と３本目のケーブル２の間で折り返された紐３は、２本目のケーブル２を乗り越えて１本目と２本目のケーブル２の間から子桁１ｂの他側側面に沿って下方に至り、子桁１ｂの下面に沿って一側に至り、子桁１ｂの一側側面に沿って上方に至る。そして、紐３は、２本目のケーブル２を乗り越えて２本目と３本目のケーブル２の間から子桁１ｂの一側側面に沿って下方に至り、子桁１ｂの下面に沿って他側に至り、子桁１ｂの他側側面に沿って上方に至り、上述の紐３の折り返し部内を通って第２の腕部９０の切り欠き９０ｂ内を通り、その後上述の紐３の折り返し部内を通って子桁１ｂの他側側面に沿って下方に至り、子桁１ｂの仮面に沿って一側に至り、子桁１ｂの一側を通って上方に至り、第１の腕部８４の裏面側から紐通し穴８５ｄを通ってケーブルラック１の他側に延びるようになっている。紐３がこのように巻かれて、２本目のケーブル２が子桁１ｂに固縛されている。
【００２６】
ついで、３本目のケーブル２を２本目のケーブル２側に引き寄せ、図１９に示されるように、ケーブル固縛装置８０を３本目と４本目のケーブル２の隙間の上部に位置させ、同様にして３本目のケーブル３を子桁１ｂに固縛する。
そして、この操作を繰り返し行い、最後に、ケーブル固縛装置８０を最後のケーブル２と親桁１ａとの間の子桁１ｂにセットし、第１および第２の腕部８４、９０の閉開動作を行い、その後ケーブル固縛装置８０を引き上げる。そして、第１の腕部８４の裏面側で紐３を切断し、その切断端と１つ前の折り返し部に通された最後の折り返し部とを締着して、ケーブル２の固縛が終了する。これにより、ケーブルラック１に収納されているケーブル２は、紐３で１本ずつ子桁１ｂに固縛される。
【００２７】
ここで、ケーブル２は紐３で１本ずつ固縛される必要はなく、例えば図２０および図２１に示されるように、紐３で複数本のケーブル２を束ねて固縛することもできる。
【００２８】
このように、この実施の形態１によれば、ケーブル固縛装置８０をケーブルラック１の上部から、第１および第２の腕部８４、９０内にケーブル２間の子桁１ｂを納めるように下げ、第１および第２ハンドル部８２、８８を操作して第１および第２の腕部８４、９０を開閉動作するだけで、ケーブル２を子桁１ｂに紐３で固縛でき、従来のケーブル固縛作業における紐２をケーブル２と子桁１ｂとに掛け渡す手作業が不要となり、作業者の作業負荷を軽減できる。
【００２９】
なお、上記実施の形態１では、ケーブルラック１の上部からケーブル固縛装置８０を第１および第２の腕部８４、９０内に子桁１ｂを納め、第１および第２の腕部８４、９０を開閉動作させるものとして説明しているが、ケーブルラック１の下部からケーブル固縛装置８０を第１および第２の腕部８４、９０内に子桁１ｂを納め、第１および第２の腕部８４、９０を開閉動作させてもよい。
【００３０】
また、上記実施の形態１では、第１および第２ハンドル部８２、８８が第１および第２の腕部８４、９０の開閉動作面（腕部８４、９０が開閉動作することで形成される面）と同一平面上に位置しているものとしているが、第１および第２ハンドル部８２、８８を第１および第２の腕部８４、９０の開閉動作面と略直交する平面上に位置するようにしてもよい。この場合、第１および第２ハンドル部８２、８８がケーブルラック１と略平行となり、ケーブルラック１の上部空間が狭い場合、例えばケーブルラック１が多段に設置されている場合やケーブルラック１が天井に近接して設置されている場合でも、簡易にケーブル２を固縛することができる。
さらに、第１および第２ハンドル部８２、８８をケーブルラック１の一側あるいは他側に延出するように構成してもよい。これにより、作業者はケーブルラック１上に手を入れることなく、ケーブルラック１の外側から第１および第２の腕部８４、９０の開閉動作が行え、ケーブル２の固縛作業がより簡易となる。
【００３１】
この発明によれば、第１中継部、この第１中継部から一方に連設された第１ハンドル部および該第１中継部から他方に連設された略Ｌ字状の第１の腕部を有する第１作動体と、第２中継部、この第２中継部から一方に連設された第２ハンドル部および該第２中継部から他方に連設された略Ｌ字状の第２の腕部を有する第２作動体とが、該第１および第２の腕部のＬ字状の先端部を相対させて、該第１および第２中継部を開閉ピン周りに回動自在に連結され、該第１および第２ハンドル部の開閉操作により、該第１および第２の腕部の先端部同士が係合する閉状態と、該先端部同士が離間する開状態とをとるように構成されたケーブル固縛装置において、
紐を引っ掛けるフック部が上記第２の腕部の先端部に切り欠きを外方に開口するように形成して成形され、
紐外し環が上記切り欠きの開口部を全閉する初期位置と該切り欠きの開口部を全開する最終位置との間を往復移動可能に上記第２の腕部の先端部に装着され、
戻しバネが上記紐外し環を上記最終位置から上記初期位置に戻すように上記第２の腕部の先端部に縮設され、
上記第１および第２の腕部の先端部の閉動作時に上記紐外し環に係合して該紐外し環を上記初期位置から上記最終位置に移動させる紐通し金具が、締着部および該締着部からＬ字状に延設された係合部を有し、該係合部のＬ字状の基辺を内方に位置させ、Ｌ字状の表辺を一側に位置させて該締着部を上記第１の腕部の先端部に固着して取り付けられ、かつ、
紐通し穴が、上記紐外し環が上記最終位置に位置したときに上記切り欠きと相対する位置をとるように、上記紐通し金具の上記係合部の上記表辺に穿設されているので、紐をケーブルと子桁とに掛け渡す作業を簡略化し、作業者の作業負荷を軽減できるケーブル固縛装置が得られる。
【００３２】
また、上記第１および第２ハンドル部が、上記第１および第２の腕部の先端部の開閉動作面に対して略直交する方向に曲げられているので、ケーブルラックの上部の作業スペースが狭いような場合でも、ケーブルを簡易に固縛できる。
【図面の簡単な説明】
【００３３】
【図１】この発明の実施の形態１に係るケーブル固縛装置を示す正面図である。
【図２】この発明の実施の形態１に係るケーブル固縛装置の第１の腕の先端部を示す分解図である。
【図３】この発明の実施の形態１に係るケーブル固縛装置の第１の腕の紐通し金具を示す斜視図である。
【図４】この発明の実施の形態１に係るケーブル固縛装置の第２の腕の先端部を示す分解図である。
【図５】この発明の実施の形態１に係るケーブル固縛装置の第１および第２の腕の閉状態を説明する図である。
【図６】この発明の実施の形態１に係るケーブル固縛装置の第１および第２の腕の開状態を説明する一部破断正面図である。
【図７】この発明の実施の形態１に係るケーブル固縛装置の動作を説明する工程図である。
【図８】この発明の実施の形態１に係るケーブル固縛装置を用いた１本目のケーブルを固縛する工程を説明する図である。
【図９】この発明の実施の形態１に係るケーブル固縛装置を用いた１本目のケーブルを固縛する工程を説明する図である。
【図１０】この発明の実施の形態１に係るケーブル固縛装置を用いた１本目のケーブルを固縛する工程を説明する図である。
【図１１】この発明の実施の形態１に係るケーブル固縛装置を用いた１本目のケーブルを固縛する工程を説明する正面図である。
【図１２】この発明の実施の形態１に係るケーブル固縛装置を用いた１本目のケーブルを固縛する工程を説明する図である。
【図１３】この発明の実施の形態１に係るケーブル固縛装置を用いた２本目のケーブルを固縛する工程を説明する図である。
【図１４】この発明の実施の形態１に係るケーブル固縛装置を用いた２本目のケーブルを固縛する工程を説明する図である。
【図１５】この発明の実施の形態１に係るケーブル固縛装置を用いた２本目のケーブルを固縛する工程を説明する正面図である。
【図１６】この発明の実施の形態１に係るケーブル固縛装置を用いた２本目のケーブルを固縛する工程を説明する正面図である。
【図１７】この発明の実施の形態１に係るケーブル固縛装置を用いた２本目のケーブルを固縛する工程を説明する正面図である。
【図１８】この発明の実施の形態１に係るケーブル固縛装置を用いた２本目のケーブルを固縛する工程を説明する図である。
【図１９】この発明の実施の形態１に係るケーブル固縛装置を用いた３本目のケーブルを固縛する工程を説明する図である。
【図２０】この発明の実施の形態１に係るケーブル固縛装置を用いたケーブル固縛方法を説明する上面図である。
【図２１】この発明の実施の形態１に係るケーブル固縛装置を用いたケーブル固縛方法を説明する側面図である。
【図２２】従来のケーブル固縛方法を説明する断面図である。
【図２３】従来のケーブル固縛状態を説明する斜視図である。
【符号の説明】
【００３４】
８１  第１作動体、８２  第１ハンドル部、８３  第１中継部、８４  第１の腕部、８５  紐通し金具、８５ｄ  紐通し穴、８７  第２作動体、８８  第２ハンドル部、８９  第２中継部、９０  第２の腕部、９４  開閉ピン、９０ｂ  切り欠き、９０ｃ  フック部、９１  紐外し環、９２  戻しバネ。
【図１】
0004140852.tif 000002
【図２】
0004140852.tif 000003
【図３】
0004140852.tif 000004
【図４】
0004140852.tif 000005
【図５】
0004140852.tif 000006
【図６】
0004140852.tif 000007
【図７】
0004140852.tif 000008
【図８】
0004140852.tif 000009
【図９】
0004140852.tif 000010
【図１０】
0004140852.tif 000011
【図１１】
0004140852.tif 000012
【図１２】
0004140852.tif 000013
【図１３】
0004140852.tif 000014
【図１４】
0004140852.tif 000015
【図１５】
0004140852.tif 000016
【図１６】
0004140852.tif 000017
【図１７】
0004140852.tif 000018
【図１８】
0004140852.tif 000019
【図１９】
0004140852.tif 000020
【図２０】
0004140852.tif 000021
【図２１】
0004140852.tif 000022
【図２２】
0004140852.tif 000023
【図２３】
0004140852.tif 000024